(57)【要約】【課題】複数の表示画面における輝度差分を低減し、表示画面の見易さを向上することである。【解決手段】携帯型端末１０は、照度センサ１１とプロセッサ１２と複数のＬＣＤユニット１５１ａ、１５２ａとを有する。プロセッサ１２は、照度センサ１１から照度を取得する。プロセッサ１２は、当該照度とＬＣＤユニット１５１ａの輝度設定値とＬＣＤユニット１５２ａの輝度設定値とが対応付けて記憶された設定値参照テーブル１３１から、取得された照度に対応する、ＬＣＤユニット１５１ａ、１５２ａの輝度設定値をそれぞれ取得する。プロセッサ１２は、取得されたＬＣＤユニット１５１ａの輝度設定値をＬＣＤユニット１５１ａに通知すると共に、取得されたＬＣＤユニット１５２ａの輝度設定値をＬＣＤユニット１５２ａに通知する。【選択図】図２
2013037140.tif 000002
【特許請求の範囲】
【請求項１】
照度センサと、プロセッサと、複数の表示部とを有する電子機器であって、
前記プロセッサは、
前記照度センサから照度を取得し、
当該照度と第１の表示部の輝度設定値と第２の表示部の輝度設定値とが対応付けて記憶されたテーブルから、取得された前記照度に対応する、第１の表示部の輝度設定値及び第２の表示部の輝度設定値を取得し、
取得された前記第１の表示部の輝度設定値を第１の表示部に通知すると共に、取得された前記第２の表示部の輝度設定値を第２の表示部に通知することを特徴とする電子機器。
【請求項２】
照度センサと、プロセッサと、複数の表示部とを有する電子機器により実行される輝度制御プログラムであって、
前記照度センサから照度を取得し、
当該照度と第１の表示部の輝度設定値と第２の表示部の輝度設定値とが対応付けて記憶されたテーブルから、取得された前記照度に対応する、第１の表示部の輝度設定値及び第２の表示部の輝度設定値を取得し、
取得された前記第１の表示部の輝度設定値を第１の表示部に通知すると共に、取得された前記第２の表示部の輝度設定値を第２の表示部に通知する
処理を前記プロセッサに実行させることを特徴とする輝度制御プログラム。
【発明の詳細な説明】
【技術分野】
【０００１】
本発明は、電子機器、及び輝度制御プログラムに関する。
【背景技術】
【０００２】
従来、表示制御技術の発達に伴い、照度センサを用いて、周囲の照度に応じて、表示画面の輝度を制御する携帯型端末装置が提案されている。通常、携帯型端末装置等に用いられるＬＣＤ（Liquid  Crystal  Display）の画面は、周囲が明るい程、ユーザには暗く感じられ、表示画像が見難くなることから、周囲が明るくなるに連れて、画面の輝度も高くなるように調整される。これにより、携帯型端末装置のユーザは、周辺環境によらず、見易い画面を通して、文字や画像を視認することができる。また、近年では、上述した照度センサを有する表示装置を複数組み合わせた携帯型端末装置も提案されている。このような携帯型端末装置には、複数の表示画面（マルチスクリーン）のそれぞれに異なる文字や画像を表示するものは勿論、複数の表示画面で１つの文字や画像を表示するものもある。
【先行技術文献】
【特許文献】
【０００３】
【特許文献１】特開平５−８８６５５号公報
【発明の概要】
【発明が解決しようとする課題】
【０００４】
しかしながら、上述した技術では、以下に説明するような問題点があった。例えば、ユーザが照度センサの部分を手指で隠したり、持つ角度によってセンサの感度が低下した場合には、各表示画面に対応する照度センサの検出照度に差分が生じることがある。また、各表示画面の照度センサは、それぞれ独立して動作することから、同一仕様のセンサを使用した場合でも、各センサが周囲の照度を検出するタイミングがずれることがある。この場合、一方の表示装置についてのみ輝度が調整され、他方の表示装置では輝度の調整が行われないこととなる。更に、１つの携帯型端末装置において、輝度仕様の異なる複数のＬＣＤが組み合わせて使用されることがある。
【０００５】
上述したことが要因となり、１つの携帯型端末装置において、一方の表示装置では、輝度の高い（明るめの）画面が表示され、他方の表示装置では、輝度の低い（暗めの）画面が表示されることがある。その結果、携帯型端末装置の表示画面は、視認性が低下し、ユーザにとって見難い画面となる。これらの不都合は、各表示画面で異なる文字や画像を表示させる場合にも生じ得るが、１つの携帯型端末装置の有する複数の表示画面上に、１つの文字や画像を表示させる場合に特に顕著であった。
【０００６】
開示の技術は、上記に鑑みてなされたものであって、複数の表示画面における輝度差分を低減し、表示画面の見易さを向上した電子機器、及び輝度制御プログラムを提供することを目的とする。
【課題を解決するための手段】
【０００７】
上述した課題を解決し、目的を達成するために、本願の開示する電子機器は、一つの態様において、照度センサと、プロセッサと、複数の表示部とを有する。前記プロセッサは、前記照度センサから照度を取得する。前記プロセッサは、当該照度と第１の表示部の輝度設定値と第２の表示部の輝度設定値とが対応付けて記憶されたテーブルから、取得された前記照度に対応する、第１の表示部の輝度設定値及び第２の表示部の輝度設定値を取得する。前記プロセッサは、取得された前記第１の表示部の輝度設定値を第１の表示部に通知すると共に、取得された前記第２の表示部の輝度設定値を第２の表示部に通知する。
【発明の効果】
【０００８】
本願の開示する電子機器の一つの態様によれば、複数の表示画面における輝度差分を低減し、表示画面の見易さを向上することができるという効果を奏する。
【図面の簡単な説明】
【０００９】
【図１Ａ】図１Ａは、閉じた状態の携帯型端末の外観斜視図である。
【図１Ｂ】図１Ｂは、開いた状態の携帯型端末の外観斜視図である。
【図２】図２は、携帯型端末のハードウェア構成を示す図である。
【図３】図３は、設定値参照テーブルにおけるデータ格納例を示す図である。
【図４】図４は、携帯型端末の動作を説明するための図である。
【図５】図５は、プロセッサの実行する処理を説明するための図である。
【図６Ａ】図６Ａは、ＬＣＤ輝度差分の低減前における表示画面の一例を示す図である。
【図６Ｂ】図６Ｂは、ＬＣＤ輝度差分の低減後における表示画面の一例を示す図である。
【図７】図７は、輝度制御プログラムを実行するコンピュータを示す図である。
【発明を実施するための形態】
【００１０】
以下に、本願の開示する電子機器、及び輝度制御プログラムの実施例を、図面を参照しながら詳細に説明する。なお、以下の実施例により本願の開示する電子機器、及び輝度制御プログラムが限定されるものではない。
【００１１】
以下、本願の開示する電子機器としての携帯型端末の実施例について、図面を参照しながら説明する。図１Ａは、閉じた状態の携帯型端末１０の外観斜視図である。携帯型端末１０は、ヒンジ１０ａによる開閉動作が可能であり、ヒンジ１０ａを回転軸として開くことにより、図１Ａに示す状態から、図１Ｂに示す状態となる。図１Ｂは、開いた状態の携帯型端末１０の外観斜視図である。図１Ｂに示すように、携帯型端末１０は、ユーザの視認可能なＬＣＤユニット１５１ａを前面部に有すると共に、これと同一面の左上部に開口部１１ａを有する。携帯型端末１０は、周囲から当該開口部１１ａに入射する光の量から、端末周囲の照度を検出するための照度センサ１１を有する。なお、開口部１１ａ及び照度センサ１１の配置は、前面左上部に限らず、端末周囲の照度を所定の精度で検出可能な位置であれば、必ずしもＬＣＤユニット１５１ａと同一面上にあることを要しない。
【００１２】
携帯型端末１０は、２つのＬＣＤユニット１５１ａ、１５２ａを有する。これら２つのＬＣＤユニット１５１ａ、１５２ａは、ユーザが同時に閲覧可能な様に、見開き状態で配設されている。ＬＣＤユニット１５１ａ、１５２ａは、各々独立して、異なる文字や画像を表示することもできるが、これらの画面は同一のサイズ、形状を有することから、１つの画面として、１つの文字や画像を表示することもできる。上述したように、携帯型端末１０は、前面左上部に、１つの開口部１１ａと１つの照度センサ１１とを有する。したがって、ＬＣＤユニット１５１ａと同一面上には、開口部１１ａ及び照度センサ１１が配置されているが、ＬＣＤユニット１５２ａと同一面上には、開口部及び照度センサは配置されていない。
【００１３】
図２は、携帯型端末１０のハードウェア構成を示す図である。図２に示すように、携帯型端末１０は、照度センサ１１と、プロセッサ１２と、メモリ１３と、ＬＣＤユニット１５１ａ、１５２ａとを有する。更に、ＬＣＤユニット１５１ａ、１５２ａは、それぞれバックライト１５１、１５２を有すると共に、バックライト１５１、１５２の輝度を制御するためのバックライト制御ＩＣ（Integrated  Circuit）１４１、１４２を有する。これら各構成部分は、一方向又は双方向に、信号やデータの入出力が可能なように接続されている。
【００１４】
照度センサ１１は、入射光量に応じた電流を生成可能な受光素子を有するＰＩＮフォトダイオードにより構成され、太陽光や蛍光灯といった各種発光源からの光の強さを検出する光センサである。照度センサ１１は、携帯型端末１０の周囲の照度を検出し、検出結果をプロセッサ１２に出力する。ここで、照度は、物体（センサ）に入ってくる光の強さであり、一般的には、表示画面の照度は、５００［ｌｘ］程度以下が適切とされている。輝度は、物体（画面）から出てくる光の強さであり、一般的には、表示画面の輝度は、１００〜２００［ｃｄ／ｍ２］程度が適切とされている。
【００１５】
プロセッサ１２は、例えば、ＡＳＩＣ（Application  Specific  Integrated  Circuit）やＦＰＧＡ（Field  Programmable  Gate  Array）等の集積回路、またはＣＰＵ（Central  Processing  Unit）やＭＰＵ（Micro  Processing  Unit）等の電子回路である。プロセッサ１２は、ＯＳ（Operating  System）やデバイスドライバ等の制御用プログラムを実行する。例えば、プロセッサ１２は、照度センサ１１からの照度検出結果の通知の有無を監視する。プロセッサ１２は、照度センサ１１から照度検出結果の通知を受けると、この照度検出結果を基に、メモリ１３から設定値を取得し、その設定値をＬＣＤ輝度設定値として、各バックライト制御ＩＣ１４１、１４２に通知し、各ＬＣＤユニット１５１ａ、１５２ａの輝度を調整させる。
【００１６】
メモリ１３は、例えば、ＲＡＭ（Random  Access  Memory）、ＲＯＭ（Read  Only  Memory)、フラッシュメモリ等の半導体メモリ素子、あるいは、ハードディスク、光ディスク等の記憶装置である。メモリ１３は、プロセッサ１２から、設定値の読出し要求を受けると、照度に対応する設定値を読み出し、該設定値をプロセッサ１２に応答する。
【００１７】
メモリ１３は、照度から設定値を決定するための設定値参照テーブル１３１を有する。図３は、設定値参照テーブル１３１におけるデータ格納例を示す図である。図３に示すように、設定値参照テーブル１３１には、照度の検出に伴い各画面の設定値が決定可能なように、各ＬＣＤユニット１５１ａ、１５２ａの設定値が、周囲の照度及びＬＣＤユニット輝度と対応付けて格納されている。周囲の照度は、照度センサ１１による読取り値であり、０〜５０００［ｌｘ］の値が昇順に格納されている。また、照度には、照度の上昇に伴い、ＬＣＤユニット輝度も上昇するように、ＬＣＤユニット輝度が対応付けられている。ＬＣＤユニット輝度は、例えば、照度が０〜５０［ｌｘ］の時に３５［ｃｄ／ｍ２］となり、照度が２５００〜５０００［ｌｘ］の時に２００［ｃｄ／ｍ２］となるように、３５〜２００［ｃｄ／ｍ２］の値が昇順に設定されている。ＬＣＤユニット輝度は、携帯型端末１０の設置環境や仕様に応じて、適宜更新可能である。
【００１８】
また、設定値参照テーブル１３１には、対応する照度の検出に伴い、各々のＬＣＤユニット１５１ａ、１５２ａが、対応する輝度を採るような値が、ＬＣＤユニット設定値として設定されている。ＬＣＤユニット設定値は、ＬＣＤがバックライトに流す電流値である。すなわち、ＬＣＤユニット１５１ａ、１５２ａの設定値は、対応する画面を照射するバックライト１５１、１５２を流れる電流の値であり、この値に応じて、ＬＣＤユニット１５１ａ、１５２ａの輝度が決定される。設定値が大きい程、バックライトを流れる電流量は増えるため、輝度値が大きくなり、画面は明るくなる。逆に、設定値が小さくなると、バックライトを流れる電流は減少するため、輝度値も小さくなり、画面は暗くなる。
【００１９】
本実施例では、設定値は１６進数で設定されるものとするが、２進数、１０進数等、他の進数であってもよい。例えば、バックライト１５１及びＬＣＤユニット１５１ａに関し、設定値が０３［Ｈｅｘ］の時に、ＬＣＤユニット輝度が３５［ｃｄ／ｍ２］の値を採る仕様である場合、照度が０〜５０［ｌｘ］に対応する格納領域（メモリアドレス）に０３［Ｈｅｘ］の値が設定される。また、例えば、バックライト１５２及びＬＣＤユニット１５２ａに関し、設定値が２Ａ［Ｈｅｘ］の時に、ＬＣＤユニット輝度が１５０［ｃｄ／ｍ２］の値を採る仕様である場合、照度が２００〜７００［ｌｘ］に対応する格納領域（メモリアドレス）に２Ａ［Ｈｅｘ］の値が設定される。なお、これらのＬＣＤユニット設定値についても、バックライトやＬＣＤユニットの仕様や設置環に応じて、適宜変更可能である。
【００２０】
バックライト制御ＩＣ１４１、１４２は、プロセッサ１２から通知された輝度設定値に合わせて、電源ユニットからバックライト１５１、１５２への電流を制御することにより、ＬＣＤユニット１５１ａ、１５２ａの輝度を調整する。
【００２１】
バックライト１５１、１５２は、それぞれ３色ＬＥＤ（Light  Emitting  Diode）を光源として、ＬＣＤユニット１５１ａ、１５２ａを背面から照明する。すなわち、バックライト１５１、１５２は、バックライト制御ＩＣ１４１、１４２の制御により、ＬＣＤユニット１５１ａ、１５２ａが照度に応じた設定値の輝度となるように、各ＬＣＤユニット１５１ａ、１５２ａを背面から照明する。
【００２２】
次に、本実施例における携帯型端末１０の動作を説明する。
【００２３】
図４は、携帯型端末１０の動作を説明するための図である。Ｓ１において、照度センサ１１は、携帯型端末１０の周囲の照度を検出すると、この照度検出結果を、ＯＳまたはドライバを介して、プロセッサ１２に通知する（Ｓ２）。
【００２４】
プロセッサ１２は、照度センサ１１からの照度検出結果の入力を監視しており、照度センサ１１から当該入力を受けると、メモリ１３に対して、設定値の読出しを要求する（Ｓ３）。当該読出し要求には、Ｓ２で通知された照度検出結果として、周囲の照度値が含まれている。メモリ１３は、プロセッサ１２からの指示に応じて、当該照度値に対応する、ＬＣＤユニット１５１ａ、１５２ａの設定値を読み出し、プロセッサ１２に応答する（Ｓ４）。例えば、設定値読出し要求に含まれている照度値が１５０［ｌｘ］の場合、プロセッサ１２は、照度値１５０［ｌｘ］に対応する設定値の読出しを試行する。メモリ１３には、照度値１５０［ｌｘ］に対応する設定値の格納領域に、１０［Ｈｅｘ］と１Ｂ［Ｈｅｘ］とが格納されている（図３参照）。したがって、プロセッサ１２は、ＬＣＤユニット１５１ａの設定値として１０［Ｈｅｘ］を、ＬＣＤユニット１５２ａの設定値として１Ｂ［Ｈｅｘ］を、メモリ１３から取得することとなる。
【００２５】
続いて、プロセッサ１２は、Ｓ４で取得された各ＬＣＤユニット１５１ａ、１５２ａの設定値を、対応するＬＥＤドライバに通知する（Ｓ５）。上述の例では、ＬＣＤユニット１５１ａに対応するＬＥＤドライバには、設定値１０［Ｈｅｘ］が通知され、ＬＣＤユニット１５２ａに対応するＬＥＤドライバには、設定値１Ｂ［Ｈｅｘ］が通知されることとなる。各ＬＥＤドライバは、Ｓ５で通知された設定値を基に、各ＬＣＤユニット１５１ａ、１５２ａに応じたバックライト１５１、１５２の制御を行うことで、両画面の輝度が同一となるように調整する（Ｓ６）。
【００２６】
上述の例では、ＬＣＤユニット１５１ａに対応するＬＥＤドライバには設定値として１０［Ｈｅｘ］が通知されるため、当該ＬＥＤドライバは、設定値１０［Ｈｅｘ］に対応する強さの電流をバックライト１５１に供給することで、ＬＣＤユニット１５１ａの輝度を１００［ｃｄ／ｍ２］に制御する。同様に、ＬＣＤユニット１５２ａに対応するＬＥＤドライバには設定値として１Ｂ［Ｈｅｘ］が通知されるため、当該ＬＥＤドライバは、設定値１Ｂ［Ｈｅｘ］に対応する強さの電流をバックライト１５２に供給することで、ＬＣＤユニット１５２ａの輝度を１００［ｃｄ／ｍ２］に制御する。これにより、ＬＣＤユニット１５１ａ、１５２ａの輝度は、共に１００［ｃｄ／ｍ２］に統一される。
【００２７】
次に、携帯型端末１０のプロセッサ１２の実行する処理を説明する。
【００２８】
図５は、プロセッサ１２の実行する処理を説明するための図である。Ｓ１１では、プロセッサ１２は、照度センサ１１による照度検出の有無を監視しており、照度センサ１１から照度を取得する。Ｓ１２では、プロセッサ１２は、メモリ１３の設定値参照テーブル１３１を参照し、Ｓ１１で取得された上記照度に対応する、ＬＣＤユニット１５１ａの輝度設定値を取得する。Ｓ１３では、プロセッサ１２は、ＬＣＤユニット１５２ａに関し、Ｓ１２と同様の処理を実行する。すなわち、プロセッサ１２は、メモリ１３の設定値参照テーブル１３１を参照し、Ｓ１１で取得された上記照度に対応する、ＬＣＤユニット１５２ａの輝度設定値を取得する。
【００２９】
Ｓ１４では、プロセッサ１２は、Ｓ１２で設定値参照テーブル１３１から取得された上記輝度設定値を、ＬＣＤユニット１５１ａに通知する。Ｓ１５では、プロセッサ１２は、ＬＣＤユニット１５２ａに関し、Ｓ１４と同様の処理を実行する。すなわち、プロセッサ１２は、Ｓ１３で設定値参照テーブル１３１から取得された上記輝度設定値を、ＬＣＤユニット１５２ａに通知する。その後、プロセッサ１２は、所定時間の経過を待機し（Ｓ１６）、所定時間経過した場合（Ｓ１６；Ｙｅｓ）には、ユーザによる電源オフの指示入力の有無を監視する（Ｓ１７）。電源オフの指示入力が無い間（Ｓ１７；Ｎｏ）は、プロセッサ１２は、上述したＳ１１〜Ｓ１６の一連の処理を繰り返し実行する。一方、電源オフが指示されたことに伴い（Ｓ１７；Ｙｅｓ）、プロセッサ１２は、上記一連の処理を終了する。
【００３０】
上述してきたように、携帯型端末１０は、照度センサ１１とプロセッサ１２と複数のＬＣＤユニット１５１ａ、１５２ａとを有する。プロセッサ１２は、照度センサ１１から照度を取得する。プロセッサ１２は、当該照度とＬＣＤユニット１５１ａの輝度設定値とＬＣＤユニット１５２ａの輝度設定値とが対応付けて記憶された設定値参照テーブル１３１から、取得された照度に対応する、ＬＣＤユニット１５１ａ、１５２ａの輝度設定値をそれぞれ取得する。プロセッサ１２は、取得されたＬＣＤユニット１５１ａの輝度設定値をＬＣＤユニット１５１ａに通知すると共に、取得されたＬＣＤユニット１５２ａの輝度設定値をＬＣＤユニット１５２ａに通知する。プロセッサ１２から輝度設定値の通知を受けたＬＣＤユニット１５１ａ及びＬＣＤユニット１５２ａは、当該輝度設定値に基づき、それぞれのＬＣＤ画面輝度の調整を行う。これにより、ＬＣＤユニット１５１ａ、１５２ａの画面輝度は、同一となる様に統一される。
【００３１】
すなわち、本実施例に係る携帯型端末１０は、複数のＬＣＤユニット１５１ａ、１５２ａを有する。携帯型端末１０は、照度センサ１１と、メモリ１３と、プロセッサ１２と、ＬＥＤドライバとを有する。照度センサ１１は、照度を検出する。メモリ１３は、照度と、ＬＣＤユニット１５１ａ、１５２ａの輝度を決定するための設定値とを、各ＬＣＤユニット毎に対応付けて記憶する。プロセッサ１２は、照度センサ１１により検出された照度を入力し、当該照度に対応する設定値をメモリ１３から取得して出力する。ＬＥＤドライバは、プロセッサ１２により出力された設定値に基づき、複数のＬＣＤユニット１５１ａ、１５２ａの輝度を制御する。つまり、携帯型端末１０は、単一の照度センサ１１により周囲の照度を検出し、当該照度に基づき、複数のＬＣＤユニット１５１ａ、１５２ａの輝度が同一となるようにバックライト１５１、１５２を制御することで、輝度差分を低減し、画面の見易さを向上する。
【００３２】
換言すれば、携帯型端末１０は、単一の照度センサ１１の検出した情報を、ホスト（ＣＰＵ）側のアプリケーション（ドライバ、ＯＳ等）に一旦通知し、その情報を基に、２つのＬＣＤユニット１５１ａ、１５２ａの輝度情報の書込み制御を行う。図６Ａは、かかる輝度制御を行う前における表示画面の一例を示す図である。輝度制御の前には、各ＬＣＤユニット１５３ａ、１５４ａの輝度は異なり、何らかの理由により、ＬＣＤユニット１５４ａの輝度が、ＬＣＤユニット１５３ａの輝度よりも低い状態となっている。その結果、「例」という文字の上半分と比較して、下半分が暗く表示されている。携帯型端末１０が上述の書込み制御を行うと、２つのＬＣＤユニットにおける輝度差分は低減され、ＬＣＤユニット１５１ａ、１５２ａの各輝度は同一の値となる。これにより、「例」という文字の上半分と下半分とは同じ明るさで表示され、ユーザにとって見易い表示状態（図６Ｂに示す状態）となる。
【００３３】
また、携帯型端末１０は、１つの照度センサ１１を用いて２つのＬＣＤユニット１５１ａ、１５２ａの輝度を制御することから、副次的には、以下の様な効果を有する。すなわち、従来のように、２つ以上の照度センサを有する場合と比較して、照度センサを構成する回路の小型化、及び配線の簡略化を図ることができる。これにより、輝度制御を実現するための実装面積が少なくなり、装置自体の小型化を図ることが可能となる。また、携帯型端末１０に照度センサを実装するためには、端末の筐体前面に受光用の開口部を設ける必要があるが、照度センサが１つであれば、開口部を複数設ける必要はなく、その分ケース加工の簡易化を図ることができる。
【００３４】
また、本実施例に係る携帯型端末１０のように、単一の照度センサ１１を用いるのであれば、照度検出のタイミングがセンサ間でずれるという懸念はなくなる。これにより、一方の画面についてのみ輝度が調整され、他方の画面では輝度の調整が行われないといった不都合は回避される。したがって、携帯型端末１０のＬＣＤユニット１５１ａ、１５２ａには、常に、周辺照度に適した同一輝度の文字や画像が表示される。その結果、見易い画面表示が実現される。
【００３５】
更に、本実施例に係る携帯型端末１０の有する設定値参照テーブル１３１は、更新可能に構成されている。すなわち、設定値参照テーブル１３１に格納されているＬＣＤユニット設定値は、周囲の照度に適した輝度での画面表示が可能となるように、自動または手動の操作により調整することができる。これにより、携帯型端末１０のＬＣＤユニットは、ＬＣＤの種類や仕様を問わず、各ＬＣＤユニットに固有の設定値を介して、周囲の照度に応じた同一の輝度に適宜調整される。したがって、携帯型端末１０は、構成や仕様の異なるＬＣＤのみならず、構成や仕様が同一のＬＣＤ間の個体差にも対応して、２つのＬＣＤユニットの輝度を統一することができる。また、何らかの理由により、ＬＣＤユニットの片方または双方を交換したり、ＬＣＤユニットを追加することとなった場合にも、容易に対応することができる。すなわち、携帯型端末１０は、新規のＬＣＤに合わせて、テーブルの設定値を調整するという簡易な操作で、当該ＬＣＤの画面輝度を、従前のＬＣＤユニットの輝度と同一とすることができる。したがって、ＬＣＤを交換あるいは追加する場合にも、異なる画面に輝度の差が生じて見づらくなるということがない。その結果、携帯型端末１０の利便性、汎用性が向上する。
【００３６】
［輝度制御プログラム］
また、上記実施例で説明した各種の処理は、あらかじめ用意されたプログラムをコンピュータで実行することによって実現することができる。そこで、以下では、図７を用いて、図２に示した携帯型端末１０と同様の機能を有する輝度制御プログラムを実行するコンピュータの一例を説明する。
【００３７】
図７は、輝度制御プログラムを実行するコンピュータを示す図である。図７に示すように、コンピュータ１００は、ＣＰＵ１１０と、入力装置１２０と、モニタ１３０と、音声入出力装置１４０と、無線通信装置１５０と、照度センサ１６０とを有する。更に、コンピュータ１００は、ＲＡＭ１７０と、ハードディスク装置１８０等のデータ記憶装置とを有し、これらをバス１９０で接続して構成される。ＣＰＵ１１０は、各種演算処理を実行する。入力装置１２０は、ユーザからのデータの入力を受け付ける。モニタ１３０は、各種情報を表示する。音声入出力装置１４０は、音声を入出力する。無線通信装置１５０は、無線通信を介して他のコンピュータとの間でデータの授受を行う。照度センサ１６０は、周囲の照度を検出し、検出結果を、バス１９０を介してＣＰＵ１１０に出力する。ＲＡＭ１７０は、各種情報を一時的に記憶する。
【００３８】
そして、ハードディスク装置１８０には、図２に示したプロセッサ１２と同様の機能を有する輝度制御プログラム１８１が記憶される。また、ハードディスク装置１８０には、図２に示したメモリ１３に記憶される各種データ（周囲の照度、ＬＣＤユニット輝度、ＬＣＤユニット設定値など）に対応する輝度制御処理関連データ１８２、及び輝度制御履歴ファイル１８３が記憶される。
【００３９】
そして、ＣＰＵ１１０が輝度制御プログラム１８１をハードディスク装置１８０から読み出してＲＡＭ１７０に展開することにより、輝度制御プログラム１８１は、輝度制御プロセス１７１として機能するようになる。そして、輝度制御プロセス１７１は、輝度制御処理関連データ１８２から読み出した情報等を適宜ＲＡＭ１７０上の自身に割り当てられた領域に展開し、この展開したデータ等に基づいて各種データ処理を実行する。そして、輝度制御プロセス１７１は、所定の情報を輝度制御履歴ファイル１８３に出力する。
【００４０】
なお、上記の輝度制御プログラム１８１は、必ずしもハードディスク装置１８０に格納されている必要はなく、ＣＤ−ＲＯＭ等の記憶媒体に記憶されたこのプログラムを、コンピュータ１００が読み出して実行するようにしてもよい。また、公衆回線、インターネット、ＬＡＮ（Local  Area  Network）、ＷＡＮ（Wide  Area  Network）等を介してコンピュータ１００に接続される他のコンピュータ（またはサーバ）等にこのプログラムを記憶させておいてもよい。この場合には、コンピュータ１００がこれらからプログラムを読み出して実行する。
【００４１】
なお、上記実施例では、携帯型端末１０として、携帯電話、スマートフォン、ＰＤＡ（Personal  Digital  Assistant）といった様々な携帯型端末装置を想定して説明した。しかしながら、本願に開示の技術は、カーナビゲーション、ＰＣ（Personal  Computer）、テレビ等、複数の表示画面を有する様々な電子機器に適用可能である。携帯型端末の場合、照度センサが２つあると、持ち方によっては片方が手指で隠れてしまったり、端末の角度によっては、検出される照度が異なってしまうことがある。このように、携帯型端末の場合、２つのＬＣＤユニットに輝度差分が生じ易くなることから、上記実施例の適用により両画面の輝度を揃えることが特に効果的である。しかしながら、携帯型端末以外の端末装置であっても、設置の仕方や周辺環境（人の動きや物の位置）によっては、検出照度が異なる場合も想定される。したがって、携帯型端末に限らず、携帯型端末以外の端末装置に対しても、上記実施例の適用は有効である。
【００４２】
また、上記実施例では、携帯型端末１０が２つのＬＣＤユニット１５１ａ、１５２ａを有する場合を例に採って説明したが、ＬＣＤユニットは３つ以上であってもよい。かかる態様でも、携帯型端末１０は、３つ以上のＬＣＤユニットの設定値を、照度及び輝度毎に、設定値参照テーブル１３１に追加設定することで、上記実施例と同様に、複数の画面間における輝度のずれが調整される。したがって、携帯型端末１０のユーザは、３つ以上のＬＣＤユニットを、見易い状態（周囲の照度に適した、かつ、各画面の明るさの等しい状態）で見ることができる。
【００４３】
更に、図示した携帯型端末の各構成要素は、必ずしも物理的に図示の如く構成されていることを要しない。すなわち、各装置の分散・統合の具体的態様は図示のものに限られず、その全部又は一部を、各種の負荷や使用状況等に応じて、任意の単位で機能的又は物理的に分散・統合して構成することもできる。例えば、入出力部としてのプロセッサ１２と制御部としてのバックライト制御ＩＣ１４１、１４２とを１つの構成要素として統合してもよい。反対に、プロセッサ１２に関し、検出された照度を入力する部分と、当該照度に対応する設定値をメモリ１３から取得して出力する部分とに分散してもよい。また、メモリ１３を、携帯型端末１０の外部装置として、ネットワークやケーブル経由で接続するようにしてもよい。
【符号の説明】
【００４４】
１０  携帯型端末
１０ａ  ヒンジ
１１  照度センサ
１２  プロセッサ
１３  メモリ
１３１  設定値参照テーブル
１４１、１４２  バックライト制御ＩＣ
１５１、１５２  バックライト
１５１ａ、１５２ａ  ＬＣＤユニット
１００  コンピュータ
１１０  ＣＰＵ
１２０  入力装置
１３０  モニタ
１４０  音声入出力装置
１５０  無線通信装置
１６０  照度センサ
１７０  ＲＡＭ
１７１  輝度制御プロセス
１８０  ハードディスク装置
１８１  輝度制御プログラム
１８２  輝度制御処理関連データ
１８３  輝度制御履歴ファイル
１９０  バス
【図１Ａ】
2013037140.tif 000003
【図１Ｂ】
2013037140.tif 000004
【図２】
2013037140.tif 000005
【図３】
2013037140.tif 000006
【図４】
2013037140.tif 000007
【図５】
2013037140.tif 000008
【図６Ａ】
2013037140.tif 000009
【図６Ｂ】
2013037140.tif 000010
【図７】
2013037140.tif 000011